(57)【要約】【課題】ヒューズが設けられた接続箱の保守点検や修理の際の作業の確実性、安全性を高める。【解決手段】本発明の１つの接続箱２００は、ＯＮまたはＯＦＦに切替え可能な単投式のレバースイッチ１０を有し、開閉器、断路器、及び遮断器の群から選択される１又は複数の電路開閉装置２０と、その電路開閉装置２０と電気的に接続されるヒューズボックス１００と、ヒューズボックス１００の上面側に開閉可能に装着されるヒューズボックスカバー５０とを備える。その上で、接続箱２００は、レバースイッチ１０がＯＮ状態において、ヒューズボックスカバー５０が略上方（Ｘ方向）に又はレバースイッチ１０側（Ｙ方向）に向けて開けられると、ＯＮ状態のレバースイッチ１０の全てが、ＯＦＦ状態に切替わる（Ｚ方向）ことが可能となる。【選択図】図４
2014110157.tif 000002
【特許請求の範囲】
【請求項１】
ＯＮまたはＯＦＦに切替え可能な単投式のレバースイッチを有し、開閉器、断路器、及び遮断器の群から選択される１又は複数の電路開閉装置と、
前記電路開閉装置と電気的に接続されるヒューズボックスと、
前記ヒューズボックスの上面側に開閉可能に装着されるヒューズボックスカバーと、
を備え、
前記レバースイッチがＯＮ状態において、前記ヒューズボックスカバーが略上方に又は前記レバースイッチ側に向けて開けられると、ＯＮ状態の前記レバースイッチの全てが、ＯＦＦ状態に切替わることが可能となる、
接続箱。
【請求項２】
複数の前記電路開閉装置が、並設されて備えられ、
前記レバースイッチの一部又は全部がＯＮ状態において、前記ヒューズボックスカバーが略上方に又は前記レバースイッチ側に向けて開けられると、ＯＮ状態の前記レバースイッチの全てがＯＦＦ状態に切替わることが可能となる、
請求項１に記載の接続箱。
【請求項３】
前記ヒューズボックスカバーが開けられると、前記ヒューズボックスカバーの前記電路開閉装置側の先端部を前記レバースイッチのＯＮ状態における裏面部に押し当てることによって、ＯＮ状態の前記レバースイッチの全てがＯＦＦ状態に切替わることが可能となる、
請求項１又は請求項２に記載の接続箱。
【請求項４】
前記先端部が、前記レバースイッチがＯＮ側に設定された状態の前記レバースイッチの裏面部に沿って前記ヒューズボックスの上面側に突出している、
請求項３に記載の接続箱。
【請求項５】
前記先端部の反対側の前記ヒューズボックスの側面が備える凹部又は貫通孔から前記ヒューズボックスカバーの係合部が取り外されることによって、前記ヒューズボックスカバーが略上方に又は前記レバースイッチ側に向けて開けることが可能となる、
請求項３又は請求項４に記載の接続箱。
【請求項６】
請求項１乃至請求項５のいずれか１項に記載の接続箱を備える、
太陽光発電システム。
【請求項７】
接続箱が備えるヒューズボックスの上面側に開閉可能に装着されるヒューズボックスカバーであって、
前記接続箱に備えられ、ＯＮまたはＯＦＦに切替え可能な単投式のレバースイッチを有する、開閉器、断路器、及び遮断器の群から選択される１又は複数の電路開閉装置の前記レバースイッチがＯＮ状態において、前記ヒューズボックスカバーが略上方に又は前記レバースイッチ側に向けて開けられると、ＯＮ状態の前記レバースイッチの全てがＯＦＦ状態に切替わることが可能となる、
ヒューズボックスカバー。
【請求項８】
複数の前記電路開閉装置が、並設されて前記接続箱に備えられ、
前記電路開閉装置の前記レバースイッチの一部又は全部がＯＮ状態において、前記ヒューズボックスカバーが略上方に又は前記レバースイッチ側に向けて開けられると、ＯＮ状態の前記レバースイッチの全てがＯＦＦ状態に切替わることが可能となる、
請求項７に記載のヒューズボックスカバー。
【請求項９】
前記ヒューズボックスカバーが開けられると、前記ヒューズボックスカバーの前記電路開閉装置側の先端部を前記レバースイッチのＯＮ状態における裏面部に押し当てることによって、ＯＮ状態の前記レバースイッチの全てがＯＦＦ状態に切替わることが可能となる、
請求項７又は請求項８に記載のヒューズボックスカバー。
【請求項１０】
前記先端部が、前記レバースイッチのＯＮ状態における裏面部に沿って前記ヒューズボックスの上面側に突出している、
請求項９に記載のヒューズボックスカバー。
【発明の詳細な説明】
【技術分野】
【０００１】
本発明は、接続箱、太陽光発電システム、及びヒューズボックスカバーに関する。
【背景技術】
【０００２】
接続箱は、例えば、太陽光発電システムにおいて、太陽電池モジュールで発電した電気を集めてパワーコンディショナーに送り出すために用いられる。より具体的には、太陽電池モジュールの保守点検を行う際に用いられる接続箱は、太陽電池モジュールを回路から切り離す開閉器と、端子台と、電圧の高い太陽電池モジュールから電圧の低い太陽電池モジュールへの電流流入を防止する逆流防止ダイオードと、太陽電池モジュールを雷等のサージ電圧から保護するサージアブソーバ等を備える。
【０００３】
ところで、特許文献１は、太陽光発電システムにおける接続箱内の機器の組み付けが容易となり、接続箱の小型化を図ることができる太陽電池モジュールの開閉器を開示している。一般に、太陽光発電システムにおいては、定期的な保守点検を行うことが必要である。そして、作業の安全面や装置の損傷拡大防止の観点から、保守点検時や故障が生じたときには、開閉器、断路器、又は遮断器等（以下、開閉器等ともいう）を含む電路開閉装置によって電路を閉じることにより、太陽電池モジュールを回路から切り離す必要がある。従って、太陽光発電システムの保守点検や修理を行う際には、通常、並設された複数の開閉器等のスイッチの切替え操作を確実に行うことが要求される。
【先行技術文献】
【特許文献】
【０００４】
【特許文献１】特開２０００−１７３３７６号公報
【発明の概要】
【発明が解決しようとする課題】
【０００５】
しかしながら、保守点検や修理を行う作業者が、誤って、複数ある開閉器等のレバースイッチの一部をＯＦＦの位置に切替え忘れることもあり得る。特に、狭い場所や暗所に設置されている接続箱内に収容された開閉器等のスイッチについては、該スイッチの位置を正確に把握することも困難な場合もあり得るため、一部のスイッチの切り忘れるといった事態も生じかねない。
【０００６】
また、短絡等によって回路に異常な電流が流れたときに、回路を遮断することによって機器や部品の焼損又は火災等を防ぐことを目的とするヒューズを備えた接続箱が採用される場合がある。しかしながら、ヒューズを採用することの優位性とは裏腹に、比較的交換頻度が高いヒューズが採用されると、作業者によって開閉器等のスイッチの切替え操作が行われる機会が多くなる。その結果、かえって人為的過誤を増加させる可能性もある。さらに、接続箱がヒューズを備える場合、ヒューズが溶断したときの交換時のみでなく、接続箱の定期的な保守点検時においても、作業者の手がヒューズ周辺の回路に触れてしまうことも考えられるため、作業車の安全には特に配慮する必要がある。
【０００７】
従って、例えば、今後、益々需要が高まる太陽光発電システムの保守点検作業においては、ヒューズを備えた接続箱を採用する場合であっても、開閉器、断路器、又は遮断器等を含む電路開閉装置のレバースイッチの切替え操作を、作業者が容易に、かつ確度高く実行することが、その作業の安全性を高める観点から極めて重要である。
【０００８】
本発明は、上述の問題を解決するものであり、ヒューズが設けられた接続箱の保守点検時や修理時において、レバースイッチの切替え操作の容易性及び確実性を向上させ、ひいては作業者の安全性を高める技術の発展に大きく貢献するものである。
【課題を解決するための手段】
【０００９】
本発明者は、一般的に複数個が並設されるレバースイッチの特に切替え部分について、仮に作業者が目視できない状況下であっても、その切替え操作の確度を高めることを目的の一つとして、鋭意研究を重ねた。その結果、接続箱におけるヒューズボックスのカバーの構造、特に、前述の切替え部分に近接又は接する領域を含むカバーの形状を含む全体の構造を工夫することにより、確度高く、複数のレバースイッチをＯＦＦの位置に切替え得ることを本発明者は見出した。その結果、代表的には太陽光発電システムの保守点検時や修理時等において、レバースイッチがＯＮのままで作業者がヒューズやヒューズ周辺の回路に接触しないように配慮された接続箱、及びヒューズボックスのカバーが創出された。
【００１０】
本発明の１つの接続箱は、ＯＮまたはＯＦＦに切替え可能な単投式のレバースイッチを有し、開閉器、断路器、及び遮断器の群から選択される１又は複数の電路開閉装置と、その電路開閉装置と電気的に接続されるヒューズボックスと、そのヒューズボックスの上面側に開閉可能に装着されるヒューズボックスカバーとを備える。その上で、この接続箱は、前述のレバースイッチがＯＮ状態において、前述のヒューズボックスカバーが略上方に又は前記レバースイッチ側に向けて開けられると、ＯＮ状態の該レバースイッチの全てがＯＦＦ状態に切替わることが可能となる。
【００１１】
この接続箱によれば、作業者が、例えば太陽光発電システムの保守点検時やヒューズの交換時に、開閉器等の電路開閉装置のレバースイッチがＯＮの状態で誤ってヒューズボックスのカバーを開けた場合であっても、確度高く電路開閉装置のレバースイッチをＯＦＦ状態に切替えることができる。従って、仮に作業者が該接続箱を目視できない状況下であっても、前述のヒューズボックスカバーを開けることによってＯＮ状態の該レバースイッチの全てがＯＦＦ状態に切替わるため、その切替え操作の確度を高めることができる。
【００１２】
また、本発明の１つのヒューズボックスカバーは、接続箱が備えるヒューズボックスの上面側に開閉可能に装着されるヒューズボックスカバーである。加えて、このヒューズボックスカバーは、前述の接続箱内に備えられ、ＯＮまたはＯＦＦに切替え可能な単投式のレバースイッチを有する、開閉器、断路器、及び遮断器の群から選択される１又は複数の電路開閉装置のレバースイッチがＯＮ状態において、そのヒューズボックスカバーが略上方に又は前記レバースイッチ側に向けて開けられると、ＯＮ状態のレバースイッチの全てがＯＦＦ状態に切替わることが可能となる。
【００１３】
このヒューズボックスカバーによれば、作業者が、例えば太陽光発電システムの保守点検時やヒューズの交換時に、開閉器等の電路開閉装置のレバースイッチがＯＮの状態で誤って該ヒューズボックスのカバーを開けた場合であっても、確度高く電路開閉装置のレバースイッチの全てをＯＦＦ状態に切替えることができる。従って、仮に作業者が該接続箱を目視できない状況下であっても、該ヒューズボックスカバーを開けることによってＯＮ状態の該レバースイッチの全てがＯＦＦ状態に切替わるため、その切替え操作の確度を高めることができる。
【００１４】
なお、本出願において、電路開閉装置は、１つであってもよいし、また、複数の電路開閉装置が並設されていてもよい。ここで、「複数の電路開閉装置が並設されている」とは、必ずしも複数の電路開閉装置が隣り合って近接又は接するように配置されることに限定されない。例えば、「複数の電路開閉装置が並設されている」には、複数の電路開閉装置がそれぞれ、ある程度の間隔（例えば、１つの電路開閉装置の幅に相当する間隔）を空けて配置される態様も含まれる。
【発明の効果】
【００１５】
本発明の１つの接続箱によれば、作業者が、例えば太陽光発電システムの保守点検時やヒューズの交換時に、１または複数の開閉器等の電路開閉装置のレバースイッチがＯＮ状態で誤ってヒューズボックスのカバーを開けた場合であっても、確度高く電路開閉装置のレバースイッチの全てをＯＦＦ状態に切替えることができる。その結果、作業者が前述の作業中に感電することや外傷を負うこと等を確度高く防止することができるため、作業者の安全性を格段に高めることができる。
【００１６】
また、本発明の１つのヒューズボックスカバーによれば、作業者が、例えば太陽光発電システムの保守点検時やヒューズの交換時に、１または複数の開閉器等の電路開閉装置のレバースイッチがＯＮ状態で誤って該ヒューズボックスのカバーを開けた場合であっても、確度高く電路開閉装置のレバースイッチの全てをＯＦＦ状態に切替えることができる。その結果、作業者が前述の作業中に感電することや外傷を負うこと等を確度高く防止することができるため、作業者の安全性を格段に高めることができる。
【図面の簡単な説明】
【００１７】
【図１】第１の実施形態の接続箱の内部構成を概略的に示す図である。
【図２】第１の実施形態のヒューズボックスと開閉器の構成を概略的に示す図である。
【図３】第１の実施形態のヒューズボックスカバーの構造の例を示す斜視図である。
【図４】第１の実施形態のレバースイッチがＯＮからＯＦＦに切替わる過程を示す側面図である。
【図５】第１の実施形態のレバースイッチがＯＦＦに切替わった状態を示す図である。
【図６】第２の実施形態のヒューズボックスと開閉器の構成を概略的に示す図である。
【図７】第３の実施形態のヒューズボックスと開閉器の構成を概略的に示す図である。
【発明を実施するための形態】
【００１８】
本発明の実施形態を、添付する図面に基づいて詳細に述べる。なお、この説明に際し、全図にわたり、特に言及がない限り、共通する部分には共通する参照符号が付されている。また、図中、各実施形態の要素のそれぞれは、必ずしも互いの縮尺比を保って示されてはいない。また、各図面を見やすくするために、一部の符号が省略され得る。
【００１９】
＜第１の実施形態＞
図１は、本実施形態の接続箱２００の内部構成を概略的に示す図である。また、図２は、ヒューズボックス１００と開閉器２０の構成を概略的に示す図である。
【００２０】
図１に示すように、本実施形態においては、接続箱２００は太陽光発電システム内に設置される。接続箱２００は、金属性の筐体２２０内に設けられた内箱１５０内に、回路の保護及び加熱や発火等の事故防止のためのヒューズを設けたヒューズボックス１００を備える。ヒューズボックス１００には、ヒューズボックスカバー５０が装着されている。また、接続箱２００は、ヒューズボックス１００と電気的に接続される複数の開閉器２０と、ヒューズボックス１００と一体に設けられた端子台７０とを備える。さらに、接続箱２００は、筐体２２０内に、太陽電池モジュールをサージ電圧から保護する図示しないサージアブソーバなどを備えている。
【００２１】
開閉器２０は、ＯＮまたはＯＦＦに切替え可能なレバースイッチ１０を有し、開閉器２０は、例えば太陽電池モジュールの保守点検時等にその太陽電池モジュールと回路とをつなぐ電路の開閉を行う。また、図１に示すように、接続箱２００内には、複数の開閉器２０が並設されて備えられている。また、開閉器２０は、ヒューズボックス１００と電気的に接続されている。また、短絡等の事故発生時や機器の保守点検時等のための、電路を開閉する電路開閉装置には、開閉器２０以外に、負荷電流が流れている状態の電路を遮断する遮断器、遮断器の一次側に設けられ無負荷時に電路を開閉分離するための断路器が含まれる。従って、本実施形態においても、用途に応じて、開閉器、断路器、又は遮断器が、電路開閉装置として使い分けられる。
【００２２】
本実施形態のレバースイッチ１０は、ＯＮ状態とＯＦＦ状態の２ポジション単投式であり、ＯＮ側およびＯＦＦ側間でシーソー式に回動する公知の構成を備えている。そして、レバースイッチ１０は、公知の可動接点と端子を設けた図示しない接触機構部を備える。図１及び図２においては、全てのレバースイッチ１０がＯＮ側に設定された状態が示されている。
【００２３】
本実施形態では、端子台７０が、ヒューズボックス１００の側面部に一体となって設けられている。端子台７０は、端子板に端子ネジを、例えば螺合させることにより、端子板と座金との間に丸形圧着端子のような配線接続端子を挟持して電気的接続を図るために用いられる。
【００２４】
図３は、ヒューズボックスカバー５０の構造の一例を示す斜視図である。ヒューズボックスカバー５０は、ヒューズボックス１００の上面側に開閉可能に装着される。ヒューズボックスカバー５０が各ヒューズを覆うことにより、ヒューズが保護されている。また、ヒューズボックスカバー５０は、開閉器２０側の先端部に屈曲部５２が設けられ、傾斜面５４を形成する。従って、この先端部の一部である傾斜面５４は、レバースイッチ１０がＯＮ側に設定された状態のレバースイッチ１０の裏面部に沿ってヒューズボックス１００の上面側に突出している。
【００２５】
また、ヒューズボックスカバー５０は、係合部５８をヒューズボックス１００の側面に形成された凹部又は貫通孔５６に嵌合可能に構成されている。従って、例えば、作業者が、ヒューズボックスカバー５０の先端部と反対側の端部５７を掴んで、上述の先端部の反対側のヒューズボックス１００の側面が備える凹部又は貫通孔５６からヒューズボックスカバー５０の係合部５８を取り外すことにより、ヒューズボックスカバー５０が略上方に又はレバースイッチ１０側に向けて開けられることになる。
【００２６】
上述の構成を備えることにより、本実施形態においては、レバースイッチ１０がＯＮ状態においてヒューズボックスカバー５０が作業者等によって開けられると、全ての開閉器２０のレバースイッチ１０がＯＮからＯＦＦに切替わることが可能となる。レバースイッチ１０のＯＮ状態からＯＦＦ状態への切替わりについてのより具体的な説明は、後述する。
【００２７】
なお、ヒューズボックスカバー５０の係合部５８の位置、及びヒューズボックス１００の側面が備える凹部又は貫通孔５６の位置が、上述の先端部の反対側以外の側面に設けられることも採用され得るが、後述するように、より確度高く、ヒューズボックスカバー５０がレバースイッチ１０をＯＦＦ状態の位置に移動させるためには、上述の先端部の反対側に係合部５８及び凹部又は貫通孔５６が設けられることが好ましい。
【００２８】
また、ヒューズボックスカバー５０は、例えば、ポリカーボネイト、ナイロン、ＰＶＣ等の樹脂、あるいは、ガラス、セラミックス等の絶縁材からなる。
【００２９】
次に、レバースイッチ１０がＯＮ状態において、ヒューズボックスカバー５０が開けられると、開閉器２０のレバースイッチ１０の全てがＯＮ状態からＯＦＦ状態に切替わる過程を図示しつつ説明する。
【００３０】
図４は、ヒューズボックスカバー５０が開けられることによって、開閉器２０のＯＮ状態の全てのレバースイッチ１０がＯＮ状態からＯＦＦ状態に切替わる過程を示す側面図である。なお、図４（ａ）は、ヒューズボックスカバー５０を開ける前のレバースイッチ１０の概略側面図であり、図４（ｂ）は、ヒューズボックスカバー５０を開けた後のレバースイッチ１０の概略側面図である。
【００３１】
図４に示すように、レバースイッチ１０がＯＮ側に設定された状態（１０ａ）において、略上方（図４（ｂ）に示す矢印Ｘ方向）に、又はレバースイッチ１０側（矢印Ｙ方向）に向けてヒューズボックスカバー５０が開けられると、開閉器２０側の先端部に設けられた屈曲部５２の傾斜面５４が、開閉器２０のＯＮ状態の全てのレバースイッチ１０の裏面部１２に当接するとともに、裏面部１２を押し込むことになる。従って、ヒューズボックスカバー５０の電路開閉装置側の先端部をレバースイッチ１０のＯＮ状態における裏面部１２に押し当てることによって、ＯＮ状態の全てのレバースイッチ１０がＯＦＦ状態に切替わることが可能となる。
【００３２】
なお、本実施形態における裏面部１２とは、レバースイッチ１０がＯＮ状態における裏面部（レバースイッチ１０がＯＦＦの状態の場合は上面部となる。）を示すものである。そして、レバースイッチ１０は、図４（ｂ）の矢印Ｚに示すように、ＯＮ側に設定された状態（１０ａ）からＯＦＦ側に設定された状態（１０ｂ）に回動することによって、ＯＮ状態からＯＦＦ状態に切替わる。図５は、ヒューズボックスカバー５０が開けられて、全ての開閉器２０のレバースイッチ１０がＯＦＦ状態に切替わった状態を示す図である。
【００３３】
＜第２の実施形態＞
本実施形態では、複数ある開閉器２０のレバースイッチ１０の一部がＯＦＦ状態である点を除いては、第１の実施形態の接続箱２００と同様である。従って、第１の実施形態の説明と重複する説明は省略する。
【００３４】
図６は、本実施形態のヒューズボックス１００と開閉器２０の構成を概略的に示す図であり、図２に相当する図面である。本実施形態のように、レバースイッチ１０の一部がＯＦＦ状態であっても、少なくとも第１の実施形態と同様の効果が奏され得る。
【００３５】
具体的には、作業者等によって、ヒューズボックスカバー５０が開けられると、ヒューズボックスカバー５０の電路開閉装置側の先端部を、ＯＮ状態となっているレバースイッチ１０の裏面部１２の全てに押し当てることになる。従って、ＯＮ状態のレバースイッチ１０の全てがＯＦＦ状態に切替わることが可能となるため、その後のヒューズ交換等の作業の安全が図られる。
【００３６】
なお、既に述べたように、この接続箱の設置位置が、仮に作業のしづらい狭い場所や暗所であった場合、レバースイッチ１０の一部がすでにＯＦＦ状態であると、作業者が、全てのレバースイッチ１０を確認することなく、一部のレバースイッチ１０をＯＮ状態のままにしてしまう可能性が高まる。しかしながら、上述のとおり、かかる状態で保守点検等の作業を開始しても、本実施形態のヒューズボックスカバー５０を開けることにより、確度高く、ＯＮ状態のレバースイッチ１０の全てがＯＦＦ状態に切替わることになるため、その後のヒューズ交換等の作業の安全が図られる点は特筆に値する。
【００３７】
＜第３の実施形態＞
本実施形態では、複数ある開閉器２０の間隔が不揃いである点を除いては、第１の実施形態の接続箱２００と同様である。従って、第１の実施形態の説明と重複する説明は省略する。
【００３８】
図７は、本実施形態のヒューズボックス１００と開閉器２０の構成を概略的に示す図であり、図２に相当する図面である。図７に示すように、本実施形態の接続箱は、第１の実施形態の接続箱２００と比較して、レバースイッチ１０の一部が取り除かれている。このような態様であっても、少なくとも第１の実施形態と同様の効果が奏され得る。
【００３９】
具体的には、本実施形態においても、作業者等によって、ヒューズボックスカバー５０が開けられると、ヒューズボックスカバー５０の電路開閉装置側の先端部を、ＯＮ状態となっているレバースイッチ１０の裏面部１２の全てに押し当てることになる。従って、ＯＮ状態のレバースイッチ１０の全てがＯＦＦ状態に切替わることが可能となるため、その後のヒューズ交換等の作業の安全が図られる。すなわち、複数ある開閉器２０の間隔が不揃いであっても、ヒューズボックスカバー５０の電路開閉装置側の先端部を、ＯＮ状態となっているレバースイッチ１０の裏面部１２の全てに押し当てることが出来れば、第１の実施形態の効果と同様の効果が奏され得る。
【００４０】
なお、本実施形態においても、この接続箱の設置位置が、仮に作業のしづらい狭い場所や暗所であった場合、複数ある開閉器２０の間隔が不揃いであれば、作業者が、全てのレバースイッチ１０を確認することなく、一部のレバースイッチ１０をＯＮ状態のままにしてしまう可能性が高まる。しかしながら、上述のとおり、かかる状態で保守点検等の作業を開始しても、本実施形態のヒューズボックスカバー５０を開けることにより、確度高く、ＯＮ状態のレバースイッチ１０の全てがＯＦＦ状態に切替わることになるため、その後のヒューズ交換等の作業の安全が図られる点は特筆に値する。
【００４１】
ところで、上述の各実施形態においては、ヒューズボックスカバー５０の屈曲部５２の屈曲角度や、傾斜面５４の長さ等、屈曲部５３の形態は、ヒューズボックスカバー５０が開けられるときに、ヒューズボックスカバー５０の先端部が、電路開閉装置のＯＮ状態となっているレバースイッチ１０の裏面部１２の全てを押し当てることが可能であれば、特に限定されない。また、ヒューズボックスカバー５０とヒューズボックス１００との係合の態様についても、特に限定されることはない。
【００４２】
上述の各実施形態の接続箱によれば、ヒューズボックスカバーによって内部配線の保護が図れるとともに、接続箱の保守点検時やヒューズの交換時に、開閉器、断路器、又は遮断器等の電路開閉装置のレバースイッチが仮にＯＮ状態のままでヒューズボックスカバーを開けたとしても、ＯＮ状態となっているレバースイッチの全てがＯＮ状態からＯＦＦ状態に確度高く切替わる。そのため、仮に作業者が該接続箱を目視できない状況下であっても、前述のヒューズボックスカバーを開けることによってＯＮ状態の該レバースイッチの全てがＯＦＦ状態に切替わるため、その切替え操作の確度を高めることができる。従って、作業者が感電することや外傷を負うこと等を確度高く防止することができ、例えばヒューズの交換作業の安全性を格段に容易に高めることができる。加えて、上述の各実施形態の接続箱によれば、レバースイッチの側面から開閉器の内部に、雨水などの水が入りこむのを抑制するとともに、結露防止を図ることが可能となる。
【００４３】
上述の各実施形態の開示は、それらの実施形態の説明のために記載したものであって、本発明を限定するために記載したものではない。加えて、各実施形態の他の組合せを含む本発明の範囲内に存在する変形例もまた、特許請求の範囲に含まれるものである。
【符号の説明】
【００４４】
１０    レバースイッチ
１２    裏面部
２０    開閉器
５０    ヒューズボックスカバー
５２    屈曲部
５４    傾斜面
５６    凹部又は貫通孔
５７    ヒューズボックスカバー先端部と反対側の端部
５８    係合部
７０    端子台
１００  ヒューズボックス
１５０  内箱
２００  接続箱
２２０  筐体
【図４】
2014110157.tif 000003
【図１】
2014110157.tif 000004
【図２】
2014110157.tif 000005
【図３】
2014110157.tif 000006
【図５】
2014110157.tif 000007
【図６】
2014110157.tif 000008
【図７】
2014110157.tif 000009